(57)【要約】【課題】より十分に冷却可能な構成を提案する。【解決手段】ロータ３０の外周側には、冷却媒体の流通用の冷媒流通路３６がロータ３０の軸方向の両端部３０ａ，３０ｂを連通するよう形成されており、冷媒流通路３６は、ロータ３０の軸方向の中央部の領域３７ｃから両端部３０ａ，３０ｂに向けて回転方向に傾斜すると共に断面積が大きくなるよう形成され、中央部の領域３７ｃは、外周側が覆われると共に永久磁石３４の径方向外側に位置するよう形成される。これにより、モータ２０をより十分に冷却することができる。【選択図】図２
2014036518.tif 000002
【特許請求の範囲】
【請求項１】
永久磁石が埋め込まれたロータと、該ロータの外周側にギャップを介して配置されたステータとを備えるモータであって、
前記ロータの外周側には、冷却媒体の流通用の冷媒流通路が軸方向の両端部を連通するよう形成されてなり、
前記冷媒流通路は、前記ロータの軸方向の中央部の領域から両端部に向けて回転方向に傾斜すると共に断面積が大きくなるよう形成され、前記中央部の領域は、外周側が覆われると共に前記永久磁石の径方向外側に位置するよう形成されてなる、
モータ。
【発明の詳細な説明】
【技術分野】
【０００１】
本発明は、モータに関する。
【背景技術】
【０００２】
従来、この種のモータとしては、ロータの外周側にギャップを空けてステータが配置され、ロータおよびステータの冷却用の冷却用流体がギャップに進入するものにおいて、ロータにその外周面からギャップに向けて突出する突出面が形成されたものが提案されている（例えば、特許文献１参照）。このモータでは、突出面を、ロータの軸方向での一端部ではロータの回転に伴う冷却用流体の流動方向の後退端となり、且つ、ロータの軸方向での中央寄りでは流動用流体の流動方向の後退端より前方に位置するようにロータの軸方向に対して傾斜した傾斜面とする。これにより、冷却用流体がギャップからロータの軸方向での端部側に押し出され、ギャップ内の冷却用流体の量が少なくなるから、ロータとステータのと相対回転による冷却用流体の攪拌が抑制され、発熱や永久磁石の減磁を抑制することができる。
【先行技術文献】
【特許文献】
【０００３】
【特許文献１】特開２０１１−１２５０９０号公報
【発明の概要】
【発明が解決しようとする課題】
【０００４】
こうしたモータでは、ロータの冷却をより十分に行なえるようにすることが課題の一つとされている。上述のモータでは、回転駆動時に、冷却媒体が遠心力によってロータからギャップ側に飛散しやすいなどの課題があり、冷却媒体とロータとの熱交換がより十分に行なわれるようにするために更なる改善の余地がある。
【０００５】
本発明のモータは、より十分に冷却可能な構成を提案することを主目的とする。
【課題を解決するための手段】
【０００６】
本発明のモータは、上述の主目的を達成するために以下の手段を採った。
【０００７】
本発明のモータは、
永久磁石が埋め込まれたロータと、該ロータの外周側にギャップを介して配置されたステータとを備えるモータであって、
前記ロータの外周側には、冷却媒体の流通用の冷媒流通路が軸方向の両端部を連通するよう形成されてなり、
前記冷媒流通路は、前記ロータの軸方向の中央部の領域から両端部に向けて回転方向に傾斜すると共に断面積が大きくなるよう形成され、前記中央部の領域は、外周側が覆われると共に前記永久磁石の径方向外側に位置するよう形成されてなる、
ことを要旨とする。
【０００８】
この本発明のモータでは、ロータの外周側には、冷却媒体の流通用の冷媒流通路が軸方向の両端部を連通するよう形成される。そして、冷媒流通路は、ロータの軸方向の中央部の領域から両端部に向けて回転方向に傾斜すると共に断面積が大きくなるよう形成され、中央部の領域は、外周側が覆われると共に永久磁石の径方向外側に位置するよう形成される。これにより、冷却媒体が冷媒流通路の一方の端部（ロータの軸方向の一方の端部）側から他方の端部側に流れやすくなり、冷却媒体が冷媒流通路に入りやすくなると共に中央部の領域の流速が端部の領域の流速より速くなり、冷却媒体が遠心力によってロータから離れる（ギャップ側に飛散する）のが抑制され、永久磁石と冷媒流通路との距離が短くなる。この結果、冷却媒体とロータとの熱交換をより十分に行なうことでき、ロータをより十分に冷却することができる。
【図面の簡単な説明】
【０００９】
【図１】本発明の一実施例としてのモータ２０の構成の概略を示す構成図である。
【図２】ロータ３０の外観を示す外観図である。
【発明を実施するための形態】
【００１０】
次に、本発明を実施するための形態を実施例を用いて説明する。
【実施例】
【００１１】
図１は、本発明の一実施例としてのモータ２０の構成の概略を示す構成図であり、図２は、ロータ３０の外観を示す外観図である。モータ２０は、図１〜図２に示すように、回転軸２２に取り付けられたロータ３０と、ロータ３０の外周側にギャップ５０を介して同心円上に配置されたステータ４０と、を備える。
【００１２】
ロータ３０は、無方向性電磁鋼板を打ち抜いて形成した複数のロータ部材が積層されて形成されるロータコア３２と、ロータコア３２の複数のスロットにそれぞれ嵌挿される永久磁石３４と、を備える。このロータ３０の外周側には、冷却媒体（例えば、潤滑油など）の流通用の冷媒流通路３６がロータ３０の軸方向の両端部３０ａ，３０ｂを連通するよう形成されている。この冷媒流通路３６は、軸方向の中央部領域３７ｃから軸方向の両端部３０ａ，３０ｂに向けて回転方向（図１，図２の太線矢印の方向）に傾斜すると共に断面積が大きくなるよう形成されている（図２参照）。また、冷媒流通路３６は、端部３０ａ，３０ｂを含む端部領域３７ａ，３７ｂ（中央部領域３７ｃを除く領域）では、軸方向および外周側に開口しており、中央部領域３７ｃでは、ロータコア３２の外周壁３２ａによって外周側が覆われている（図２参照）。中央部領域３７ｃは、永久磁石３４の径方向外側に位置するよう（径方向外側の近傍となるよう）形成されている（図１参照）。
【００１３】
ステータ４０は、無方向性電磁鋼板を打ち抜いて形成した複数のステータ部材が積層されて形成されるステータコア４２と、ステータコア４２の複数のスロット４４に巻回されたコイル４６と、を備える。なお、ステータコア４２の複数のスロット４４におけるコイル４６より内周側には、複数のスロット４４の開口部を塞ぐように蓋部材４８が配置されている。
【００１４】
こうして構成された実施例のモータ２０では、回転駆動時には、冷却媒体は、ロータ３０の冷媒流通路３６の一方の端部３０ａ（端部領域３７ａ）側から中央部領域３７ｃを経由して他方の端部３０ｂ（端部領域３７ｂ）側からロータ３０の外部に排出される。実施例では、冷媒流通路３６を、軸方向の中央部領域３７ｃから軸方向の両端部３０ａ，３０ｂに向けて回転方向に傾斜するよう形成するから、冷却媒体が冷媒流通路３６の一方の端部３０ａ（端部領域３７ａ）側から中央部領域３７ｃに流れやすくなり、その冷却媒体によって中央部領域３７ｃの冷却媒体が他方の端部３０ｂ（端部領域３７ｂ）側に押し出される。したがって、冷媒流通路３６全体として冷却媒体が流れやすくなる。また、冷媒流通路３６を、中央部領域３７ｃから両端部３０ａ，３０ｂに向けて断面積が大きくなるよう形成するから、冷媒流通路３６に冷却媒体が入りやすくなると共に中央部領域３７ｃでの流速が両端部３０ａ，３０ｂでの流速より速くなる。さらに、冷媒流通路３６の中央部領域３７ｃを、ロータコア３２の外周壁３２ａによって覆うから、冷却媒体が遠心力によってロータ３０から離れる（ギャップ５０側に飛散する）のが抑制される。加えて、冷媒流通路３６の中央部領域３７ｃを、永久磁石３４の径方向外側に位置するよう形成するから、冷媒流通路３６と永久磁石３４との距離が比較的短くなる。これらより、冷却媒体とロータ３０との熱交換をより十分に行なうことができ、ロータ３０をより十分に冷却することができる。特に、ロータ３０（永久磁石３４）が軸方向の長いときには、永久磁石３４の中央部の領域に熱がこもりやすいことから、実施例のように冷媒流通路３６を形成することによる意義が大きい。
【００１５】
以上説明した実施例のモータ２０によれば、ロータ３０の外周側には、冷却媒体の流通用の冷媒流通路３６がロータ３０の軸方向の両端部３０ａ，３０ｂを連通するよう形成されており、冷媒流通路３６は、ロータ３０の軸方向の中央部の領域３７ｃから両端部３０ａ，３０ｂに向けて回転方向に傾斜すると共に断面積が大きくなるよう形成され、中央部の領域３７ｃは、外周側が覆われると共に永久磁石３４の径方向外側に位置するよう形成されるから、モータ２０をより十分に冷却することができる。
【００１６】
実施例の主要な要素と課題を解決するための手段の欄に記載した発明の主要な要素との対応関係について説明する。実施例では、ロータ３０が「ロータ」に相当し、ステータ４０が「ステータ」に相当し、冷媒流通路３６が「冷媒流通路」に相当する。
【００１７】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００１８】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００１９】
本発明は、モータの製造産業などに利用可能である。
【符号の説明】
【００２０】
２０  モータ、２２  回転軸、３０  ロータ、３０ａ，３０ｂ  端部、３２  ロータコア、３２ａ  外周壁，３４  永久磁石、３６  冷媒流通路、３７ａ，３７ｂ  端部領域、３７ｃ  中央部領域、４０  ステータ、４２  ステータコア、４４  スロット、４６  コイル、４８  蓋部材、５０  ギャップ。
【図１】
2014036518.tif 000003
【図２】
2014036518.tif 000004